(57)【要約】【課題】制御基板がビス止めされる中継部材のビス止め時の破損防止を図った光ディスク装置を提供する。【解決手段】メインシャーシ１には、クランパホルダ部１０から外れた位置で制御基板３０を上方よりビス止めするための中継部材２０が、クランパホルダ部１０の上方でクランパホルダ部１０と平行に架け渡されている。クランパホルダ部１０には、ビス止め位置側に向けて上向きで突出する第１の突起１１が形成されている。中継部材２０には、下向きに突出して第１の突起１１にビス止め位置側から微小隙間をあけて対向する第２の突起２３が形成されている。【選択図】図３
2008117475.tif 000002
【特許請求の範囲】
【請求項１】
光ディスクが収納されるメインシャーシと、
このメインシャーシ内に収納された前記光ディスクの記録面に対して昇降するトラバースシャーシと、
このトラバースシャーシ上に保持され、前記光ディスクを回転駆動するためのターンテーブルと、
前記メインシャーシの左右両側の間に架け渡されたクランパホルダ部に保持され、前記ターンテーブルとの間で前記光ディスクを挟持するクランパと、を備えた光ディスク装置において、
前記メインシャーシには、前記クランパホルダ部から外れた位置で制御基板を上方よりビス止めするための中継部材が、前記クランパホルダ部の上方で前記クランパホルダ部と平行に架け渡されていて、
前記クランパホルダ部には、ビス止め位置側に向けて上向きで突出する第１の突起が形成され、前記中継部材には、下向きに突出して前記第１の突起にビス止め位置側から微小隙間をあけて対向する第２の突起が形成されており、
前記第１の突起が左右方向に並べられた一対より成り、前記第２の突起が左右方向に沿って延在していることを特徴とする光ディスク装置。
【請求項２】
光ディスクが収納されるメインシャーシと、
このメインシャーシ内に収納された前記光ディスクの記録面に対して昇降するトラバースシャーシと、
このトラバースシャーシ上に保持され、前記光ディスクを回転駆動するためのターンテーブルと、
前記メインシャーシの左右両側の間に架け渡されたクランパホルダ部に保持され、前記ターンテーブルとの間で前記光ディスクを挟持するクランパと、を備えた光ディスク装置において、
前記メインシャーシには、前記クランパホルダ部から外れた位置で制御基板を上方よりビス止めするための中継部材が、前記クランパホルダ部の上方で前記クランパホルダ部と平行に架け渡されていて、
前記クランパホルダ部には、ビス止め位置側に向けて上向きで突出する第１の突起が形成され、前記中継部材には、下向きに突出して前記第１の突起にビス止め位置側から微小隙間をあけて対向する第２の突起が形成されていることを特徴とする光ディスク装置。
【請求項３】
前記第１の突起が左右方向に並べられた一対より成り、前記第２の突起が左右方向に沿って延在していることを特徴とする請求項２に記載の光ディスク装置。
【発明の詳細な説明】
【技術分野】
【０００１】
本発明は、情報記録媒体であるＣＤやＤＶＤ等の光ディスクに対して情報の再生や記録を行う光ディスク装置に関する。
【背景技術】
【０００２】
一般に、光ディスク装置は、クランプした光ディスクを回転させ、その光ディスクの記録面にレーザー光を出射してその記録面上に情報を書き込んだり（記録）、更に光ディスクの記録面で反射したレーザー光を受光してその記録面上の情報を読み取ったり（再生）するものであり、図４に示すように、大きくは、固定のメインシャーシ１と、可動のトラバースシャーシ２とから外形が構成される（例えば特許文献１参照）。メインシャーシ１は、例えばポリスチレン（ＰＳ）等の合成樹脂の成型品であり、このメインシャーシ１には、ディスクトレイ（不図示）が前面（図４では下端面）から内外へ挿脱可能に支持されている。そして、メインシャーシ１の外部へ引き出されたディスクトレイ上に光ディスクが載置され、そのディスクトレイがメインシャーシ１の内部へ送り込まれることによって、メインシャーシ１内に光ディスクが収納される。
【０００３】
続いて、トラバースシャーシ２は、例えばポリフェニレンエーテル（ＰＰＥ）等の合成樹脂の成型品であり、メインシャーシ１に対し、後端（図４では上端）近傍の支軸を中心として回動可能に支持されている。トラバースシャーシ２は、光ディスクが収納されたメインシャーシ１に対して回動（図４では紙面に垂直な方向に回動）することで、その光ディスクの記録面に対して接近／離間移動するように昇降し、最上昇した状態で光ディスクがクランプされる。
【０００４】
ここでのトラバースシャーシ２の回動は、例えば、以下に示すような構成によって行われる。トラバースシャーシ２の前端２ａ（回動中心となる支軸が配置された方の一端とは反対側の端、すなわち図４では下端）には、ダンパ部材を介在してシフトレバーが取り付けられており、このシフトレバーには、例えば円柱状の突起２ｂが設けられている。一方メインシャーシ１には、トラバースシャーシ２の前端２ａの外側に、カム溝（不図示）を有するカムスライダ３が左右方向にスライド移動可能に支持されている。そのカムスライダ３のカム溝に、トラバースシャーシ２からの突起２ｂが係合している。そして、カムスライダ３のスライド移動に従って突起２ｂがカム溝に沿って案内され、これによりトラバースシャーシ２が回動する。つまり、トラバースシャーシ２の回動は、カムスライダ３のスライド移動に従って行われる。
【０００５】
ここでのカムスライダ３のスライド移動の駆動は、例えば、以下に示すような構成によってなされる。トラバースシャーシ２には、その側部（図４では右側の側部）にモータ（不図示）が搭載されるとともに、その側部側の前端２ａ近傍に、そのモータからギア列を介して駆動力が伝達される駆動ギア４が軸支されている。一方メインシャーシ１には、その駆動ギア４と噛み合う従動ギア５が軸支されている。また、カムスライダ３の端部３ａ（図４では右側の端部）には、スライド移動の方向に延在するラック３ｂが形成されている。そのラック３ｂには、カムスライダ３が一方の移動端の近傍から他方の移動端の近傍まで移動する間、従動ギア５の小歯車５Ｂが噛み合うようになっている。
【０００６】
そして、上記モータから駆動ギア４に駆動力が与えられて、互いに噛み合う駆動ギア４と従動ギア５（大歯車５Ａ）とが回転し、その回転する従動ギア５の小歯車５Ｂにカムスライダ３のラック３ｂが噛み合うことによって、カムスライダ３がスライド移動するようになる。こうして、カムスライダ３がスライド移動し、そのスライド移動に従いトラバースシャーシ２が昇降する。
【０００７】
また、トラバースシャーシ２には、光ディスクの記録面に記録されている情報を読み取ったり、その記録面に情報を書き込んだりするための光ヘッド（不図示）が搭載されている。その光ヘッドの構成要素であるベース部材は、トラバースシャーシ２に対し、光ディスクの記録面に沿う径方向に延在するガイド軸やガイドレールに支持されており、その径方向に往復移動可能になっている。つまり、光ヘッド全体がトラバースシャーシ２に支持され、光ディスクの記録面に沿う径方向に往復移動するようになっている。
【０００８】
ここでの光ヘッドの移動の駆動は、例えば、トラバースシャーシ２に搭載されている上記モータからの駆動力によって行われる。具体的には、光ヘッドにおけるベース部材の側部にスライドラックが取り付けられており、そのスライドラックに、トラバースシャーシ２に軸支されて上記モータからの駆動力が伝達される光ヘッド用伝達ギア（不図示）が噛み合うことにより、その光ヘッド用伝達ギアの回転に従い光ヘッドが移動する。
【０００９】
なお、上記モータからの駆動力は、上記ディスクトレイの挿脱移動にも活用される。例えば、ディスクトレイには、その側部にトレイ用ラック（不図示）が設けられ、一方メインシャーシ１には、上記モータからの駆動力が駆動ギア４を介して与えられる従動ギア５（大歯車５Ａ）と噛み合うトレイ用伝達ギア（不図示）が軸支されている。そして、ディスクトレイのトレイ用ラックにトレイ用伝達ギアが噛み合うことにより、そのトレイ用伝達ギアの回転に従いディスクトレイが移動する。
【００１０】
また、トラバースシャーシ２が最上昇した状態で光ディスクをクランプして回転させる構成は、以下のようになっている。メインシャーシ１には、その左右両側の上部の間に概ね板状のクランパホルダ部１０が架け渡されている。このクランパホルダ部１０はメインシャーシ１と一体成型されて成り、その中央には略円板状のクランパ（不図示）が回転自在に設けられている。一方、そのクランパと対向するトラバースシャーシ２上には、スピンドルモータ（不図示）が取り付けられており、このスピンドルモータの主軸の先端部には、その主軸の回転（スピンドルモータの駆動）に従って回転するターンテーブル（不図示）が固定されている。そして、トラバースシャーシ２が上昇することにより、光ディスクの中心穴がターンテーブルに嵌まり合い、更に、光ディスクがターンテーブルの上面とクランパの下面との間に挟持されてクランプされる。
【特許文献１】特開２００５−２３５２５２号公報
【発明の開示】
【発明が解決しようとする課題】
【００１１】
このような光ディスク装置には、通常、制御基板が備えられている。その制御基板により、トラバースシャーシ２の回動や光ヘッドの往復移動やディスクトレイの挿脱移動の駆動源となるモータの制御、光ディスクの回転の駆動源となるスピンドルモータの制御、光ヘッドから入出力される信号の制御等が行われる。従来の光ディスク装置では、制御基板は、メインシャーシ１のクランパホルダ部１０に直接上方よりビス止めされて取り付けられることが一般的であった。図４には、そのビス止めのためにクランパホルダ部１０に形成されたねじ穴付きボス１１１を図示している。
【００１２】
ところで、近年の光ディスク装置においては、小型化等のデザイン上の制約から、メインシャーシ１の上方のクランパホルダ部１０から外れたところに制御基板を配置し、その外れた位置で上方よりビス止めする必要性が生じることがある。この場合の対処として、簡便には、メインシャーシ１の一側を基端部としてビス止め位置まで延び出す中継部材を設け、その中継部材の先端部に制御基板を上方よりビス止めする手法が考えられる。
【００１３】
しかし、そのような対処法では、制御基板をドライバでビス止めする際、中継部材には、そのビス止め位置となる先端部に上方よりドライバからの押付け負荷が作用するため、中継部材は、固定の基端部を支点にして一種の片持ち梁のように大きく撓み、その結果として破損する可能性が至って大きい。
【００１４】
そこで本発明は、上記の問題に鑑みてなされたものであり、制御基板がビス止めされる中継部材のビス止め時の破損防止を図った光ディスク装置を提供することを目的とするものである。
【課題を解決するための手段】
【００１５】
上記目的を達成するため、本発明による光ディスク装置は、光ディスクが収納されるメインシャーシと、このメインシャーシ内に収納された前記光ディスクの記録面に対して昇降するトラバースシャーシと、このトラバースシャーシ上に保持され、前記光ディスクを回転駆動するためのターンテーブルと、前記メインシャーシの左右両側の間に架け渡されたクランパホルダ部に保持され、前記ターンテーブルとの間で前記光ディスクを挟持するクランパと、を備えた光ディスク装置において、次の点を特徴とする。前記メインシャーシには、前記クランパホルダ部から外れた位置で制御基板を上方よりビス止めするための中継部材が、前記クランパホルダ部の上方で前記クランパホルダ部と平行に架け渡されている。前記クランパホルダ部には、ビス止め位置側に向けて上向きで突出する第１の突起が形成され、前記中継部材には、下向きに突出して前記第１の突起にビス止め位置側から微小隙間をあけて対向する第２の突起が形成されている。そして、前記第１の突起が左右方向に並べられた一対より成り、前記第２の突起が左右方向に沿って延在している。
【００１６】
このような構成にすれば、制御基板を中継部材にビス止めする際、中継部材には、そのビス止め位置に上方よりドライバからの押付け負荷が作用し、これに伴って、中継部材は、まずは固定の両端部を支点にして一種の両持ち梁のように撓む様相になるが、その撓みの過程で、クランパホルダ部からの各第１の突起の先端角部が中継部材からの第２の突起の根元付近に当接する。すると今度は、中継部材は、その当接部分を支点にして一種の片持ち梁のように撓む様相になるが、その撓みに伴って第２の突起が各第１の突起に接触し、この接触により、それ以上の中継部材の撓み変形が規制される。
【００１７】
また、上記目的を達成するための本発明による光ディスク装置は、光ディスクが収納されるメインシャーシと、このメインシャーシ内に収納された前記光ディスクの記録面に対して昇降するトラバースシャーシと、このトラバースシャーシ上に保持され、前記光ディスクを回転駆動するためのターンテーブルと、前記メインシャーシの左右両側の間に架け渡されたクランパホルダ部に保持され、前記ターンテーブルとの間で前記光ディスクを挟持するクランパと、を備えた光ディスク装置において、前記メインシャーシには、前記クランパホルダ部から外れた位置で制御基板を上方よりビス止めするための中継部材が、前記クランパホルダ部の上方で前記クランパホルダ部と平行に架け渡されていて、前記クランパホルダ部には、ビス止め位置側に向けて上向きで突出する第１の突起が形成され、前記中継部材には、下向きに突出して前記第１の突起にビス止め位置側から微小隙間をあけて対向する第２の突起が形成されている。
【００１８】
このような構成にすれば、制御基板を中継部材にビス止めする際、中継部材には、そのビス止め位置に上方よりドライバからの押付け負荷が作用し、これに伴って、中継部材は、まずは固定の両端部を支点にして一種の両持ち梁のように撓む様相になるが、その撓みの過程で、クランパホルダ部からの第１の突起の先端角部が中継部材からの第２の突起の根元付近に当接する。すると今度は、中継部材は、その当接部分を支点にして一種の片持ち梁のように撓む様相になるが、その撓みに伴って第２の突起が第１の突起に接触し、この接触により、それ以上の中継部材の撓み変形が規制される。
【００１９】
ここで、実用的には、前記第１の突起が左右方向に並べられた一対より成り、前記第２の突起が左右方向に沿って延在していることが好ましい。
【発明の効果】
【００２０】
本発明の光ディスク装置によれば、制御基板がビス止めされる中継部材は、そのビス止め時に過剰な撓み変形が規制されることから、破損が防止される。
【発明を実施するための最良の形態】
【００２１】
以下に、本発明の光ディスク装置の一実施形態について図面を参照しながら詳述する。図１は本発明の一実施形態の光ディスク装置における制御基板をビス止めする付近の断面図、図２はその斜視図であって、図１（ａ）、図２（ａ）は組付け前の状態を示し、図１（ｂ）、図２（ｂ）は組付け後の状態を示している。その図２では、基板とビスの図示を省略している。図３はその光ディスク装置における制御基板をビス止めする過程の一状況を示す断面図である。なお、これらの図中で図４と同じ名称で同じ機能を果たす部分には概ね同一の符号を付し、重複する説明は適宜省略する。
【００２２】
本実施形態の光ディスク装置は、制御基板の取付けにまつわる点の構成を除き、図４に示す従来一般的な光ディスク装置と同様である。つまり、本実施形態の光ディスク装置においては、メインシャーシ１の上方のクランパホルダ部１０から後方に外れたところに制御基板を配置し、その外れた位置で上方よりビス止めして取り付けるようになっている。
【００２３】
具体的には、図１、図２に示すように、メインシャーシ１には、クランパホルダ部１０の上方でクランパホルダ部１０と平行に、メインシャーシ１の左右両側の間を架け渡される概ね板状の中継部材２０を設ける。特に図示はしないが、この中継部材２０は、その両端部のうちの一端部がメインシャーシ１の一側に引掛けられ、他端部がメインシャーシ１の他側にビス止めされて固定される。なお、両端部のそれぞれがメインシャーシ１の一側、他側にそれぞれビス止めされて固定されてもよい。
【００２４】
ここで、中継部材２０には、左右方向に沿った前後の側縁のうちの後側縁からビス止め位置まで延び出す延出部２１が形成されていて、この延出部２１の先端部に、ビス止めのためのねじ穴付きボス２２が形成されている。
【００２５】
一方、クランパホルダ部１０には、左右方向に沿った前後の側縁のうちのビス止め位置に近い側となる後側縁の上面に、ビス止め位置側に向けて上向きで突出する第１の突起１１が形成されている。本実施形態では、一対の第１の突起１１が左右方向に並べられている。
【００２６】
また、中継部材２０には、延出部２１の根元から下向きに突出する第２の突起２３が形成されている。この第２の突起２３は、クランパホルダ部１０からの各第１の突起１１に、ビス止め位置側から接触するかしないか程度の微小隙間をあけて対向する。本実施形態では、クランパホルダ部１０からの各第１の突起１１に対応し、第２の突起２３が左右方向に沿って延在している。
【００２７】
制御基板３０は、図１に示すように、中継部材２０の延出部２１上でビス４０によって上方よりビス止めされて取り付けられる。そのビス止めの際、図３に示すように、中継部材２０には、そのビス止め位置となるねじ穴付きボス２２の部分すなわち延出部２１の先端部に上方よりドライバからの押付け負荷（図３中の実線矢印参照）が作用する。これに伴って、中継部材２０は、まずは固定の両端部を支点にして一種の両持ち梁のように撓む様相になるが、その撓みの過程で、クランパホルダ部１０からの各第１の突起１１の先端角部が中継部材２０からの第２の突起２３の根元付近に当接する。すると今度は、中継部材２０は、その当接部分を支点にして一種の片持ち梁のように撓む様相になるが、その撓みに伴って中継部材２０からの第２の突起２３がクランパホルダ部１０からの各第１の突起１１に接触する。この接触により、それ以上の中継部材２０の撓み変形が規制される。従って、制御基板３０がビス止めされる中継部材２０は、そのビス止め時に過剰な撓み変形が規制されることから、破損が防止される。
【００２８】
なお、本発明は上記の実施形態に限定されず、本発明の趣旨を逸脱しない範囲で、種々の変更が可能である。
【産業上の利用可能性】
【００２９】
本発明は、光ディスクに対して情報の再生や記録を行うための光ディスク装置に有用である。
【図面の簡単な説明】
【００３０】
【図１】本発明の一実施形態の光ディスク装置における制御基板をビス止めする付近の断面図である。
【図２】本発明の一実施形態の光ディスク装置における制御基板をビス止めする付近の斜視図である。
【図３】本発明の一実施形態の光ディスク装置における制御基板をビス止めする過程の一状況を示す断面図である。
【図４】本発明にも共通する一般的な光ディスク装置の構成を概略して示す上面図である。
【符号の説明】
【００３１】
１    メインシャーシ
２    トラバースシャーシ
１０    クランパホルダ部
１１    第１の突起
２０    中継部材
２１    延出部
２２    ねじ穴付きボス
２３    第２の突起
３０    制御基板
４０    ビス
【図１】
2008117475.tif 000003
【図２】
2008117475.tif 000004
【図３】
2008117475.tif 000005
【図４】
2008117475.tif 000006